(57)【要約】本体ケース、電源、リムーバブルディスクと本体回路基板を備え、本体回路基板が本体ケース内部において接点を有し、接点とリムーバブルディスクの金属突起部を互いに接触させて、本体回路基板とリムーバブルディスクの回路基板とを接続可能である。本体回路基板は、プロセッシングユニット、ＭＰ３デコーディングユニット、Ｄ／Ａ変換ユニット及び増幅ユニットを備える。プロセッシングユニットは、入力回路によりファンクションキーからの指示を受け、バッファによりリムーバブルディスク内のＭＰ３音楽データを読み取る。ＭＰ３デコーディングユニットは、プロセッシングユニットからＭＰ３音楽データを受けて解読する。Ｄ／Ａ変換ユニットは、ＭＰ３デコーディングユニットにより解読された後のデジタル信号を受け、アナログ信号に変換する。増幅ユニットは、アナログ信号を受け、増幅して出力ユニットに伝送する。
2005534982.tif 000002
【特許請求の範囲】
【請求項１】
ＭＰ３音楽データを再生するためのリムーバブルディスク付きＭＰ３ポータブルオーディオであって、
その表面に使用者に操作制御を提供するためのファンクションキー、及びリムーバブルディスクのＵＳＢプラグを差し込むためのジャックを有し、またリムーバブルディスクに接触する表面に、開口槽を呈しかつ本体回路基板に露出する接点を有する本体ケースと、
前記本体ケースの内部に配置され、電源を提供する電源と、
一端にコンピューターのＵＳＢジャックに差し込み、ＭＰ３音楽データを保存するためのＵＳＢプラグを有し、また前記本体ケースに接触する表面の前記開口槽に向かい合う位置に金属突起部が配列されるリムーバブルディスクと、
前記本体ケースの内部に配置され、接点を有し、接点と前記金属突起部を互いに接触させることで、前記リムーバブルディスクの回路基板と接続することを可能にし、また前記ファンクションキーに向かい合う位置に入力回路を有する本体回路基板とを備え、
そのうちの本体回路基板は、
前記入力回路により前記ファンクションキーからの指示を受け、バッファによりリムーバブルディスク内のＭＰ３音楽データを読み取るプロセッシングユニットと、
前記プロセッシングユニットからのＭＰ３音楽データを受けて解読するＭＰ３デコーディングユニットと、
前記ＭＰ３デコーディングユニットにより解読された後のデジタル信号を受け、アナログ信号に変換するＤ／Ａ変換ユニットと、
前記アナログ信号を受け、増幅して出力ユニットに伝送する増幅ユニットと、
を備えることを特徴とするリムーバブルディスク付きＭＰ３ポータブルオーディオ。
【請求項２】
前記出力ユニットと接続してＭＰ３音楽を再生する出力装置を有することを特徴とする請求項１に記載のリムーバブルディスク付きＭＰ３ポータブルオーディオ。
【請求項３】
出力ユニットはイヤホンジャック、出力装置はイヤホンであることを特徴とする請求項２に記載のリムーバブルディスク付きＭＰ３ポータブルオーディオ。
【請求項４】
本体回路基板は、前記電源に接続される電源スイッチを有し、電源スイッチは前記本体ケースの表面に露出し、使用者に電源制御を提供するためのスイッチであることを特徴とする請求項１に記載のリムーバブルディスク付きＭＰ３ポータブルオーディオ。
【請求項５】
電源は電池であり、前記本体ケースには電池を取り替えるために電池蓋を有することを特徴とする請求項１に記載のリムーバブルディスク付きＭＰ３ポータブルオーディオ。
【請求項６】
本体ケースには、紐用の孔を二つ有することで紐を増設することが可能であることを特徴とする請求項１に記載のリムーバブルディスク付きＭＰ３ポータブルオーディオ。
【請求項７】
リムーバブルディスクには、使用状態を表示するためのＬＥＤを有することを特徴とする請求項１に記載のリムーバブルディスク付きＭＰ３ポータブルオーディオ。
【請求項８】
ファンクションキーは、再生キー、停止キーと二つの方向キーなどを含むことを特徴とする請求項１に記載のリムーバブルディスク付きＭＰ３ポータブルオーディオ。
【発明の詳細な説明】
【技術分野】
【０００１】
本発明は、MP３ポータブルオーディオに関し、具体的に言うとリムーバブルディスク（Thumb Drive）付きMP３ポータブルオーディオに関するものである。
【背景技術】
【０００２】
音声映像技術は日増しに発展してくるとともに、消費者に良質な視聴効果を提供することができるようになっている。そのうちのＭＰ３がその一つである。ＭＰ３とはMPEG Audio Layer 3ということの略称であり、データが保存されている状態で、読み取り周波数１６ビットと解析度４４．１ｋＨｚ（即ち一般のＣＤの音質）による立体デジタル音声信号を採用して一秒ごとに１７２ＫＢのメモリー容量を使用するものである。一般のＣＤ音質の規格は一分ごとに１０ＭＢのメモリー容量を占めることであるため、７０分の音楽ＣＤをハードディスクにコピーするには、ハードディスクの容量は７００ＭＢが必要であるが、ＭＰ３の技術を利用する場合、ＣＤの音声データを１／１２まで圧縮し、同じ保存容量に音質データを１２倍も保存することを可能にするだけではなく、かつ音質は音楽ＣＤとはあまり変わりがない。したがって、各メーカーは開発とサポートの標準のため激しい競争を繰り広げている。
【０００３】
コンピューターに使用されるＭＰ３ソフトウェアのほかに、様々なＭＰ３音楽を再生可能なポータブルオーディオが続々誕生してきた。これらのＭＰ３ポータブルオーディオの保存法は、主にフラッシュメモリー（Flash Memory）のメモリーカードを保存媒介として使用することである。かつメモリー容量は８ＭＢから６４ＭＢまでの様々な規格がある。したがって、一枚のメモリーカードは多くても十何曲しか保存できなく、通常の音楽ＣＤに比較してみると、再生可能な曲数はあまり変わりがない。大量の音楽を再生する場合、このようなＭＰ３ポータブルオーディオは不都合な面があり、かつ高いメモリーカードを取り替える必要があるほかに、音楽をメモリーカードにダウンロードするにはかなり時間がかかる。しがたって、本発明者はこの問題点に鑑みて研究と試験を重ねた結果、本発明を完成させた。
【発明の開示】
【発明が解決しようとする課題】
【０００４】
本発明の主な目的は、リムーバブルディスク（Thumb Drive）とＭＰ３ポータブルオーディオを結合することで容量が一般のメモリーカードより大きいリムーバブルディスク（Thumb Drive）により、ＭＰ３ポータブルオーディオが一回でＭＰ３音楽データを多く再生することを実現させることである。
本発明のもう一つの目的は、リムーバブルディスク（Thumb Drive）におけるＵＳＢプラグをすぐ差し込み、使用すること（Hot Plug & Play）で、コンピューターからＭＰ３音楽データを簡単にダウンロードすることが可能であるリムーバブルディスク（Thumb Drive）付きＭＰ３ポータブルオーディオを提供することにある。
本発明のまたもう一つの目的は、接点を本体回路基板とリムーバブルディスク（Thumb Drive）回路基板との間の繋がりとして使用し、データ伝送の便利を図ることである。
【課題を解決するための手段】
【０００５】
上述の目的を達成するために、本発明によるリムーバブルディスク（Thumb Drive）付きＭＰ３ポータブルオーディオは、本体ケース、電源、リムーバブルディスク（Thumb Drive）と本体回路基板を備える。
本体ケースは、その表面に使用者に操作制御を提供するためのファンクションキーと、リムーバブルディスク（Thumb Drive）のＵＳＢプラグを差し込むためのジャックを有し、また本体ケースのリムーバブルディスクに接触する表面に、開口槽を呈しかつ本体回路基板に露出する接点を有する。
電源は、本体ケースの内部に配置され、電源を提供するものである。
リムーバブルディスク（Thumb Drive）は、一端にコンピューターのＵＳＢジャックに差し込み、ＭＰ３音楽データを保存するためのＵＳＢプラグを有し、またリムーバブルディスクの前記本体ケースに接触する表面の前記開口槽に向かい合う位置に金属突起部が配列される。
【０００６】
本体回路基板は、前記本体ケース内部に配置され、接点を有するものであるため、接点と前記金属突起部を互いに接触させることで、本体回路基板と前記リムーバブルディスクの回路基板とを接続することが可能であり、また本体回路基板の前記ファンクションキーに向かい合う位置に入力回路を有する。
前記本体回路基板は、プロセッシングユニット、ＭＰ３デコーディングユニット、Ｄ／Ａ変換ユニットと増幅ユニットを備える。
プロセッシングユニットは、前記入力回路により前記ファンクションキーからの指示を受け、バッファによりリムーバブルディスク（Thumb Drive）内のＭＰ３音楽データを読み取るものである。
ＭＰ３デコーディングユニットは、前記プロセッシングユニットからのＭＰ３音楽データを受けて解読するものである。
Ｄ／Ａ変換ユニットは、前記ＭＰ３デコーディングユニットにより解読された後のデジタル信号を受け、アナログ信号に変換するものである。
増幅ユニットは、前記アナログ信号を受け、増幅して出力ユニットに伝送するものである。
【発明を実施するための最良の形態】
【０００７】
以下、具体的な実施例と図面に基づいて本発明を説明する。図１、図２、図３と図４示すように、本発明によるリムーバブルディスク（Thumb Drive）付きＭＰ３ポータブルオーディオは、ＭＰ３（MPEG Audio Layer 3）の音楽データを再生するものであって、本体ケース１０、電源２０、リムーバブルディスク（Thumb Drive）３０と本体回路基板４０を備える。
【０００８】
本体ケース１０は、その表面に使用者に操作制御を提供するためのファンクションキー１１（再生キー、停止キーと二つの方向キーなどを含む）と、リムーバブルディスク（Thumb Drive）のＵＳＢプラグ３１を差し込むためのジャックを有し、また本体ケース１０のリムーバブルディスク３０に接触する表面に、開口槽を呈しかつ本体回路基板に露出する接点４１を有することで、接点４１を本体回路基板４０とリムーバブルディスクの回路基板３４との間の繋がりとしてデータ伝送の便利を図ることが可能である。また本体ケース１０の上に紐用の孔１３を二つ有することで、紐５０を増設することが可能である。
【０００９】
電源２０は、本体ケース１０の内部に配置され、電源を提供するものである。本実施例では、左右に位置する電池２１を電源として、かつ電池を取り替えるために本体ケース１０に電池蓋１２を有する。
リムーバブルディスク（Thumb Drive）３０は、一端にコンピューターのＵＳＢジャックに差し込み、ＭＰ３音楽データをダウンロード・保存するためのＵＳＢプラグ３１を有し、またリムーバブルディスク３０の本体ケース１０に接触する表面の本体ケースの開口槽に向かい合う位置に金属突起部３２が配列されるものであるため、リムーバブルディスクのＵＳＢプラグ３１を本体ケース１０のジャックに差し込めば、金属突起部３２と本体回路基板の接点４１の相互接触がデータ伝送の繋がりになる。ＬＥＤ３３は使用状態を表示するものである。
【００１０】
本体回路基板４０は、本体ケース１０内部に配置され、接点４１を有するものであるため、接点４１とリムーバブルディスクの金属突起部３２を互いに接触させることで、本体回路基板４０とリムーバブルディスクの回路基板３４とを接続することが可能である。
図１と図５に示すように、本体回路基板４０は、下記のものを備える。
プロセッシングユニット４２は、入力回路４３によりファンクションキー１１からの指示を受け、バッファ４４によりリムーバブルディスク（Thumb Drive）３０内のＭＰ３音楽データを読み取るものである。
【００１１】
ＭＰ３デコーディングユニット４５は、プロセッシングユニット４２からのＭＰ３音楽データを受けて解読するものである。
Ｄ／Ａ変換ユニット４６は、前記ＭＰ３デコーディングユニットにより解読された後のデジタル信号を受け、アナログ信号に変換するものである。
増幅ユニット４７は、前記アナログ信号を受け、増幅して出力ユニット４８に伝送するものである。本実施例では、出力ユニットはイヤホンジャックである。
電源スイッチ４９は、本体ケース１０の表面に露出し、使用者に電源２０の制御を提供するためのスイッチである。
【００１２】
また本実施例では、出力装置としてイヤホンを使用し、上述のイヤホンジャックと接続してＭＰ３音楽を再生することが可能である。また異なる出力ユニットと異なる出力装置の組み合わせ、例えば自動車用音響または家庭用音響などを使用することも可能である。
上述の説明により、本発明によるリムーバブルディスク（Thumb Drive）付きＭＰ３ポータブルオーディオは予期したとおりに実用効果を達成することが可能である。
【００１３】
以上は本発明についての詳細な説明であった。以上の実施方法は本発明の比較的好ましい実施例に過ぎず、本発明の請求範囲を制限するものではない。本発明の請求範囲に基づいて同等の変化と修飾をすることが本発明の主張範囲に属すべきである。
【図面の簡単な説明】
【００１４】
【図１】本発明の好ましい実施形態を示す模式図である。
【図２】本発明の好ましい実施形態の正面の立体外観を示す模式図である。
【図３】本発明の好ましい実施形態の背面の立体外観を示す模式図である。
【図４】本発明の好ましい実施形態の分解図である。
【図５】本発明における好ましい実施形態の本体回路基板とリムーバブルディスク（Thumb Drive）との結合を示す模式図である。
【符号の説明】
【００１５】
１０  本体ケース、１１  ファンクションキー、１２  電池蓋、１３  紐用の孔、２０  電源、２１  電池、３０  リムーバブルディスク（Thumb Drive）、３１  ＵＳＢプラグ、３２  金属突起部、３３  ＬＥＤ、３４  リムーバブルディスクの回路基板、４０  本体回路基板、４１  接点、４２  プロセッシングユニット、４３  入力回路、４４  バッファ、４５  ＭＰ３デコーディングユニット、４６  Ｄ／Ａ変換ユニット、４７  増幅ユニット、４８  出力ユニット、４９  電源スイッチ、５０  紐
【図１】
2005534982.tif 000003
【図２】
2005534982.tif 000004
【図３】
2005534982.tif 000005
【図４】
2005534982.tif 000006
【図５】
2005534982.tif 000007
【国際調査報告】
2005534982.tif 000008
2005534982.tif 000009
2005534982.tif 000010
2005534982.tif 000011